(57)【特許請求の範囲】
【請求項１】
カメラ本体とカメラ制御装置の対からなるカメラシステムを複数備え、各カメラ本体で取得されカメラ制御装置から出力される複数の映像信号の中の１を選択してオンエア映像信号とすると共に、当該オンエア映像信号をリターン映像信号として前記複数のカメラ本体に夫々伝送する方式の同期自動調整装置において、
前記カメラシステムの各々のカメラ制御装置は、
前記リターン映像信号を、設定された遅延時間だけ遅延させて出力する遅延手段と、
対になっているカメラ本体で取得し当該カメラ制御装置で受信された映像信号と、前記遅延された前記リターン映像信号との位相差を検出する位相差検出手段と、
該検出された位相差に応じた遅延時間を前記遅延手段に設定する設定手段と、を備え、
前記遅延された前記リターン映像信号を、当該カメラ制御装置と対になっているカメラ本体に供給し、各々のカメラ制御装置から出力される映像信号の夫々が互いに同期が保たれるようにしたことを特徴とする同期自動調整装置。
【請求項２】
請求項１に記載の同期自動調整装置において、
前記カメラ制御装置の夫々から出力される複数の映像信号はＨＤＴＶ方式の映像信号で、前記リターン映像信号は前記オンエア映像信号をダウンコンバ−トして得たＳＤＴＶ方式の映像信号であり、
前記カメラ本体は、対になっている前記カメラ制御装置から供給された前記遅延されたリターン映像信号に、固有の処理遅延で同期した前記映像信号を、該カメラ制御装置に送信し、
前記位相差検出手段は、前記遅延後のリターン映像信号に含まれるフレーム同期信号によりカウントが開始され、前記受信された映像信号に含まれるフレーム同期信号によりホールドされるカウント値を、前記位相差として検出するものであり、
前記設定手段は、該カウント値に準じた時間を前記遅延時間として設定することを特徴とする同期自動調整装置。
【請求項３】
請求項１記載の同期自動調整装置において、
前記組合わせ対のカメラ本体とカメラ制御装置がワイヤレス構成されていることを特徴とする同期自動調整装置。
【発明の詳細な説明】
【技術分野】
【０００１】
本発明は、複数台のカメラから与えられる映像信号の同期調整に係り、特に、ワイヤレスカメラシステムに好適な同期自動調整装置に関する。
【背景技術】
【０００２】
例えば、テレビジョン放送局などにおいては、スタジオなど比較的狭隘な場所で数多くのカメラ(テレビカメラ)が使用される場合が多いが、このとき、カメラにケーブルが接続されていると、これが自由なカメラ運用の障害になる。そこで、近年、カメラをワイヤレス化した、いわゆるワイヤレスカメラシステムが業務用として使用されるようになってきた(例えば、特許文献１、２参照。)。
【０００３】
そこで、以下、このようなワイヤレスカメラシステムについて説明すると、まず、このような業務用のカメラシステムの場合、通常、カメラが単体で構成されるのではなく、カメラ本体にＣＣＵ(Camera Controll Unit：カメラ制御装置)が対になって組合わされた、いわゆるカメラシステムとして構成されるのが一般的であり、従って、この場合の、例えばスタジオでの運用状況は、図４に示すようになる。
【０００４】
この図４は、テレビ放送用のスタジオＳにおいて、例えばステージ上の歌手を被写体Ｐとし、これを、例えば６台のカメラ１Ａ、１Ｂ、１Ｃ、１Ｄ、１Ｅ、１Ｆ(以下、１Ａ〜１Ｆ)により撮像し、放送プログラムを作成する場合の例であり、このとき、各カメラ１Ａ〜１Ｆには、夫々対になるＣＣＵ２Ａ、２Ｂ、２Ｃ、２Ｄ、２Ｅ、２Ｆ(以下、２Ａ〜２Ｆ)があって、これにより上記したカメラシステムを構成していることが示されている。
【０００５】
このとき、各々のカメラとＣＣＵには、図示のように、付属したアンテナが描かれていて、これにより各カメラ１Ａ〜１Ｆと各ＣＣＵ２Ａ〜２Ｆの間がワイヤレス化され、この結果、いわゆるワイヤレスカメラシステムを構成し、且つ、これらのカメラ１Ａ〜１ＦはカメラマンＭにより持ち運び運用されるようになっていることが判る。
【０００６】
そこで、カメラマンＭは、カメラ１Ａ〜１Ｆにより、種々のアングルから被写体Ｐを撮像し、本線映像信号と呼ばれる映像信号を各個に取得する。そして、この本線映像信号はカメラ本体内でデータ圧縮処理され、対になっているＣＣＵ２Ａ〜２Ｆの各々に無線伝送される。なお、このときのデータ圧縮処理とは、例えばＨ .２６４やＭＰＥＧなどの符号化方式のことであるが、これらに限定されるものではない。
【０００７】
これによりＣＣＵ２Ａ〜２Ｆは、各々受信された信号を伸長処理し、対応するカメラの本線映像信号１１０ａ〜１１０ｆとして再生し、夫々を切替器３に供給する。そこで切替器３は、これら本線映像信号１１０ａ〜１１０ｆの中からオンエア信号(実際に送信機から送信される信号)候補となる映像信号、つまりオンエア映像信号１１４を選択し、スタジオ副調整室４に出力する。従って、このときの切替器３の操作は、通称サブと呼ばれているスタジオ副調整室４から行われるようになっている。
【０００８】
このとき、図示されていないが、切替器３の出力であるオンエア映像信号１１４は、スタジオ副調整室４に出力されるだけではなく、これと並行してＣＣＵ２Ａ〜２Ｆの各々にも供給され、それらから対応するカメラ１Ａ〜１Ｆの各々にリターン映像信号として無線伝送され、各カメラ１Ａ〜１ＦのＶＦ(ビデオファインダ)に画像表示されるようになっている。従って、各カメラマンＭは、自分が撮像している画像のほか、オンエア映像信号による画像もモニタし、このことを前提としたカメラ操作ができることになる。
【０００９】
ところで、この場合、各ＣＣＵ２Ａ〜２Ｆから出力される本線映像信号１１０ａ〜１１０ｆが全て同じ位相になっていたとすれば何も問題はないが、もしも位相が同期していなっていたとすると、切替器３で切替えられたとき、再び同期が掛かるまでの間、短時間ではあるが、画像乱れが発生してしまう。この場合、オンエア映像にも画像乱れが発生してしまうので、放送品質が維持できなくなってしまうことになる。
【００１０】
そこで、各カメラ１Ａ〜１Ｆでは、上記したリターン映像信号を利用し、詳しくは後述するが、撮像した本線映像信号をリターン映像信号に同期させて上記の問題に対処するようになっており、従って、各ＣＣＵ２Ａ〜２Ｆから出力される本線映像信号１１０ａ〜１１０ｆについては互いに同期が保たれた状態にされていることになり、切替えに伴う画像乱れが生じないようにしてある。
【００１１】
次に、この図４におけるカメラ１Ａ〜１ＦとＣＣＵ２Ａ〜２Ｆの詳細について、図５により説明する。このとき、図示されているように、カメラ１Ａ〜１Ｆの各々についてはカメラ１で代表させ、ＣＣＵ２Ａ〜２Ｆの各々はＣＣＵ２で代表して示してある。
【００１２】
そして、まず、カメラ１には光学系と撮像系を構成するカメラヘッド９があり、ここで被写体Ｐを撮像して取得した信号が本線映像信号１００として出力され、Ｓ／Ｐ変換部１０に供給される。このときの本線映像信号１００は、例えば１.４８５Ｇbit／ｓのＨＤ−ＳＤＩ(HDTV SERIAL DIGITAL INTERFACE)形式対応であり、従って、Ｓ／Ｐ変換部１０では、この本線映像信号１００がパラレル映像データ１０１に変換され、これがアクティブ映像抽出部１１に供給されることになる。
【００１３】
このとき、アクティブ映像抽出部１１は、パラレル映像データ１０１から、表示画像には不要な垂直ブランキング期間と水平ブランキング期間のデータを除去し、アクティブ映像データ１０２を圧縮部１２に供給する働きをする。ここで、アクティブ映像とは、実際に表示される映像のことで、これは、例えばＨＤＴＶの１０８０ｉ形式の信号の場合、２２００画素×１１２５ラインの画像(いわゆるフル画像)の中の１９２０画素×１０８０ラインの画像となる。なお、ＨＤＴＶとは、いわゆるハイビジョン規格のことであり、これに対してＮＴＳＣ標準規格はＳＤＴＶと呼ばれている。
【００１４】
圧縮部１２は、入力されたアクティブ映像データ１０２にデータ圧縮処理を施し、映像圧縮データ１０３として多重部１３に出力する。このときのデータ圧縮処理は、例えばＭＰＥＧ−２準拠による符号化のことであるが、但し圧縮による符号化に限られるものではなく、非圧縮方式による符号化であってもかまわない。
【００１５】
一方、カメラ１にはマイク(マイクロホン)１４が設けてあり、カメラマンＭの声が拾えるようになっている。そして、このマイク１４から出力される音声信号１０４はＳ／Ｐ変換部１５に入力され、パラレル音声データ１０５に変換されて多重部１３に供給されるようになっている。
【００１６】
そこで、多重部１３は、映像圧縮データ１０３とパラレル音声データ１０５の供給を受け、これらを時分割多重化して多重化データ１０６に変換して変調部１６に供給する。このときの多重化データ１０６の形式は、例えばＴＳ(トランスポートストリーマー)で、変調部１６では、この多重化データ１０６に所定のエラー訂正機能を付与した上で、所定の周波数のキャリヤに乗せて変調データ４５とし、アンテナ４０に供給することにより、カメラ１から電波が送信されるようにする。
【００１７】
このとき、カメラ１と対になっているＣＣＵ２の無線チャンネルは、アンテナの指向性などにより、予め各対毎に個々に割り当ててある。そこで、このとき送信された電波は、当該カメラ１と対になっているＣＣＵ２のアンテナ４１により変調データ４５として受信され、これが変調データ４６となって復調部１７に入力され、ここで復調された多重データ１０６が分離部１８に出力され、多重データ１０６から映像圧縮データ１０７とパラレル音声データ１１１が分離され、映像圧縮データ１０７は伸長部１９に入力され、パラレル音声データ１１１はＰ／Ｓ変換部２２に入力される。
【００１８】
個々に説明すると、まず、伸長部１９では、入力された映像圧縮データ１０７がデータ伸長処理され、パラレル映像データ１０８が出力される。次に、これがブランキング情報付加部２０に入力され、ここで水平ブランキング期間と垂直ブランキング期間が付加され、パラレル映像データ１０９として出力される。
【００１９】
そして、これがＰ／Ｓ変換部２１に入力された結果、カメラ１のカメラヘッド９から出力された元の本線映像信号１００と同じ本線映像信号、例えば本線映像信号１１０ａがＣＣＵ２から出力され、他のＣＣＵから供給されている本線映像信号、例えば本線信号１１０ｂ〜１１０ｆと一緒に切替器３に入力され、それらの中からオンエア映像信号１１４が選択されることになる。
【００２０】
一方、Ｐ／Ｓ変換部２２に入力されたパラレル音声データ１１１は、ここで元の音声信号、つまりカメラ１のマイク１４で拾った音声信号１０４と同じ音声信号１１２に戻される。そして、これがＣＣＵ２からスピーカ５に出力され、音声に復元される。なお、これは、後述するマイク７とスピーカ８と共に、スタジオ副調整室４とカメラマンＭの間を音声でつなぐインターカム(intercom)機能のためである。
【００２１】
切替器３で選択されたオンエア映像信号１１４は、上記したオンエア映像のカメラ側でのモニタを可能にするため、再度、ＣＣＵ２に取り込まれる。そして、まずダウンコンバータ２３に入力され、ここでＨＤＴＶ方式の映像からＳＤＴＶ方式の映像にダウンコンバートされ、解像度が落されたリターン映像信号１１５となって同期部２４に供給される。このとき同期部２４には、別に基準映像信号１１６が基準映像信号発生器６から入力されている。
【００２２】
そこで、この同期部２４では、入力されたリターン映像信号１１５の同期が取られ、これにより基準映像信号１１６に同期したリターン映像信号１１７が同期調整バッファ２６に供給され、ここに一旦、蓄積されるが、このとき同期調整バッファ２６には、蓄積時間設定部２５から蓄積時間情報２５１が入力されている。
【００２３】
そこで、リターン映像信号１１７は、この同期調整バッファ２６に蓄積され、ここで遅延される時間が、予め蓄積時間情報２５１により設定されるようになり、この後、蓄積時間情報２５１により決められている時間が経過した時点からリターン映像信号１１８が同期調整バッファ２６から出力され、Ｓ／Ｐ変換部２７に入力される。
【００２４】
そして、このＳ／Ｐ変換部２７により、リターン映像信号１１８からパラレル変換されたパラレル映像データ１１９が出力され、アクティブ映像抽出部２８に入力されるようになり、ここで水平ブランキング期間と垂直ブランキング期間のデータが除かれ、アクティブ映像データ１２０が圧縮部２９に入力されることになる。そして、圧縮部２９でデータ圧縮された結果、多重部３１に映像圧縮データ１２３が入力されることになる。
【００２５】
また、ＣＣＵ２には、外部のマイク７から音声信号１２１が供給され、Ｓ／Ｐ変換部３０に入力されている。従って、この多重部３１には、このＳ／Ｐ変換部３０によりパラレル変換されたパラレル音声データ１２２も、上記した映像圧縮データ１２３と一緒に入力されている。そこで、多重部３１は、これら映像圧縮データ１２３とパラレル音声データ１２２を時分割多重化し、多重化データ１２４として変調部３２に供給する。
【００２６】
変調部３２では、入力された多重化データ１２４に、所定のエラー訂正機能の付与に必要な符号を付加した上で所定の周波数のキャリヤに乗せて変調データ４８とし、アンテナ４３に供給することにより、ＣＣＵ２から電波が送信されるようにする。
【００２７】
ここでＣＣＵ２と対になっているカメラ１の無線チャンネルは、予め各対毎に個々に割り当ててあり、このとき上記したカメラ１からＣＣＵ２に向かう伝送に割り当てた無線チャンネルとは異なったチャンネルにしてある。そこで、このときＣＣＵ２から送信された電波は、当該ＣＣＵ２と対になっているカメラ１のアンテナ４２により受信され、変調データ４８が変調データ４７となってカメラ１の復調部３３に入力されることになる。
【００２８】
復調部３３では、入力された変調データ４７が多重データ１２５に復調され、分離部３４に出力される。そして、この分離部３４では、多重データ１２５から映像圧縮データ１２６が分離され、これが伸長部３５に入力され、同じく分離されたパラレル音声データ１２８はＰ／Ｓ変換部３９に入力されることになる。
【００２９】
このとき、まず伸長部３５では、入力された映像圧縮データ１２６がデータ伸長処理されてパラレル映像データ１２７が出力され、これがブランキング情報付加部３６に入力されて水平ブランキング期間と垂直ブランキング期間が付加され、パラレル映像データ１３０として出力される。そして、これがＰ／Ｓ変換部３７に入力され、シリアル変換された結果、リターン映像信号１３１が出力され、カメラ１のＶＦ３８とカメラヘッド９に供給されることになる。
【００３０】
従って、図４により説明したように、カメラマンＭは、自分が撮像している画像に加えてオンエア映像信号による画像もＶＦ３８によりモニタすることができ、このことを前提としてカメラ１を操作できることになる。なお、このリターン映像信号は、例えば２７０Ｍbit／ｓのＳＤ−ＳＤＩ(SDTV Serial Digital Interface)形式である。
【００３１】
また、このときＰ／Ｓ変換部３９では、ここに入力されたパラレル音声データ１２８がシリアルのデータに変換され、シリアル音声信号１２９がスピーカ８に供給される。従って、スピーカ８から音声が得られることになる。なお、これは、スタジオ副調整室４とカメラマンＭの間をつなぐインターカム機能のためであることは、既に説明したところである。
【００３２】
ここで、ＣＣＵ２に蓄積時間設定部２５が設けてある理由について説明すると、これは切替部３に入力される全ての本線映像信号１１０ａ〜１１０ｆを同期させ、切替部３で選択されたオンエア映像信号１１４が、何れの本線映像信号１１０ａ〜１１０ｆに切替えられたとしても位相が同じになるようにするためで、このため蓄積時間設定部２５により位相調整バッファ２６の蓄積時間を設定し、この蓄積時間だけ位相調整バッファ２６によりデータの伝送を遅延させるのである。
【００３３】
既に説明したように、カメラヘッド９から出力される本線映像信号１００は、圧縮伸長処理や変調復調処理を経ることによりＣＣＵ２から出力される本線映像信号１１０ａに再生されるので、この間に、図６の(d)、(e)に示したように、処理遅延が生じている。ここでは、一例として、この処理遅延が９．２ｍｓの場合が示されている。また、このことは図６の(a)、(b)に示したように、オンエア映像信号１１４から変換されたリターン映像信号１１８とカメラヘッド９に戻されるリターン映像信号１３１についても同じで、ここでは、一例として、この処理遅延が２．５ｍｓの場合が示されている。
【００３４】
ところで、このときの処理遅延は、カメラ１とＣＣＵ２の機種に固有のものであり、従って、機種が同じなら、この処理遅延の時間は、基本的には変動しない固定値である。そこで、この図５で説明したシステムでは、蓄積時間設定部２５を設け、これに予めマニュアル操作による固定値の蓄積時間設定値指令２５０を、図示してない入力手段から手作業で入力するようになっている。
【００３５】
そして、この蓄積時間設定値指令２５０による蓄積時間情報２５１を蓄積時間設定部２５から同期調整バッファ２６に設定することにより、本線映像信号１００と本線映像信号１１０ａの位相が同じになるようにしたもので、以下、このときの位相合わせに必要な蓄積時間情報２５１について、同じく図６により説明する。
【００３６】
まず、切替器３により、このＣＣＵ２から出力されている本線映像信号１１０ａを選択しておく。この場合、図６の(a)、(b)に示したように、リターン映像信号１３１は、リターン映像信号１１５に対して２．５ｍｓの処理遅延を持つ。そこで、このリターン映像信号１３１の位相を、同図(c)に示すように、約１６．７ｍｓの１フィールド期間だけ変化させ、この位相に本線映像信号１００の位相を合わせてみると、同図(d)に示すようになる。
【００３７】
このとき、本線映像信号１００と本線映像信号１１５の間の処理遅延は、上記したように９．２ｍｓであり、従って、この場合の本線映像信号１１５の位相は、図６の(e)に示すようになり、このときの処理遅延時間の合計は、次の式(1)、すなわち、
２．５ｍｓ＋１６．７ｍｓ＋９．２ｍｓ＝２８．４ｍｓ ……(1)
で表わされ、この結果、同期調整バッファ２６に設定すべき蓄積時間ＴＤは、１フレーム期間を３３．３ｍｓとして、次の式(2)、すなわち、
ＴＤ＝３３．０ｍｓ−２８．４ｍｓ＝４．９ｍｓ ……  ……(2)
で与えられる。
【００３８】
よって、この場合、蓄積時間情報２５１を４．９ｍｓに設定してやれば、リターン映像信号１１５に同期した本線映像信号１１０が得られることになり、従って、この蓄積時間ＴＤの算定に基づいて、蓄積時間設定値指令２５０をマニュアル操作により、例えば４．９ｍｓに設定してやれば、図４のシステムにおいて、各ＣＣＵ２Ａ〜２Ｆから出力される本線映像信号１１０ａ〜１１０ｆについては互いに同期が保たれていることになり、切替器３によるオンエア映像信号１１４の切替えに伴う画像乱れの発生を抑えることができる。
【特許文献１】特開平９−２８９６０８号公報
【特許文献１】特開２００３−３０４４４２号公報
【発明の開示】
【発明が解決しようとする課題】
【００３９】
上記従来技術は、カメラシステムの互換性について配慮がされておらず、効率的な機種変更に問題があった。
【００４０】
既に説明したように、上記した信号遅延の大きさは、システムに使用したカメラやＣＣＵに依存する。従って、例えば同一メーカの同一機種の場合のように、仕様性能が同じなら、個体が変わっても信号遅延の大きさはほとんど変わらない。そこで、カメラとＣＣＵの組合わせが変わらない場合や、変わっても仕様性能が同じ場合には、上記した蓄積時間情報２５１に関しては、使用開始時などに１回、設定するだけで済み、従って、従来技術でも特に問題はない。
【００４１】
しかし、ここで、例えば上記した従来技術のように、スタジオなどで数多くのカメラシステムが使用される場合は、プログラムの効率的な作成などの見地から、場合によってはメーカの違いなどの理由で仕様性能に違いがあるカメラとＣＣＵが混在されてしまい、例えばメーカＡのカメラとメーカＢのＣＣＵが組合わされたり、メーカＣのカメラにメーカＤのＣＣＵが適用されてしまう場合が生じてしまう。
【００４２】
そうすると、この場合、上記従来技術では、新たな組合わせ毎に、その都度、上記した手作業による蓄積時間の再設定が必要になってしまい、従って、上記したように、従来技術では、効率的な機種変更に問題が生じてしまうのである。
【００４３】
本発明の目的は、同期調整バッファに対する蓄積時間の設定が自動的に与えられるようにした同期自動調整装置を提供することにある。
【課題を解決するための手段】
【００４４】
上記目的は、カメラ本体とカメラ制御装置の対からなるカメラシステムを複数備え、各カメラ本体で取得されカメラ制御装置から出力される複数の映像信号の中の１を選択してオンエア映像信号とすると共に、当該オンエア映像信号をリターン映像信号として前記複数のカメラ本体に夫々伝送する方式の同期自動調整装置において、前記カメラシステムの各々のカメラ制御装置は、前記リターン映像信号を、設定された遅延時間だけ遅延させて出力する遅延手段と、対になっているカメラ本体で取得し当該カメラ制御装置で受信された映像信号と、前記遅延された前記リターン映像信号との位相差を検出する位相差検出手段と、該検出された位相差に応じた遅延時間を前記遅延手段に設定する設定手段と、を備え、前記遅延された前記リターン映像信号を、当該カメラ制御装置と対になっているカメラ本体に供給し、各々のカメラ制御装置から出力される映像信号の夫々が互いに同期が保たれるようにして達成される。
【００４５】
このとき、前記カメラ制御装置の夫々から出力される複数の映像信号はＨＤＴＶ方式の映像信号で、前記リターン映像信号は前記オンエア映像信号をダウンコンバ−トして得たＳＤＴＶ方式の映像信号であり、前記カメラ本体は、対になっている前記カメラ制御装置から供給された前記遅延されたリターン映像信号に、固有の処理遅延で同期した前記映像信号を、該カメラ制御装置に送信し、前記位相差検出手段は、前記遅延後のリターン映像信号に含まれるフレーム同期信号によりカウントが開始され、前記受信された映像信号に含まれるフレーム同期信号によりホールドされるカウント値を、前記位相差として検出するものであり、前記設定手段は、該カウント値に準じた時間を前記遅延時間として設定するようにしても良く、同じく、このとき前記組合わせ対のカメラ本体とカメラ制御装置がワイヤレス構成されているようにしても良い。
【発明の効果】
【００４６】
本発明によれば、同期調整バッファに対する蓄積時間の設定が、リターン映像信号と本線映像信号の位相差に応じて自動的に与えられるので、カメラシステムの互換性について何の配慮を要すること無く、自由な機種変更による効率的なカメラ運用に容易に対応することができる。
【発明を実施するための最良の形態】
【００４７】
以下、本発明による同期自動調整装置について、図示の実施の形態により詳細に説明する。このとき図１が本発明の一実施形態で、これは、図５の従来技術において、新たに自動位相差検出部２００を設け、これに伴って、蓄積時間設定部２５に代えて蓄積時間演算設定部３００を設け、この蓄積時間演算設定部３００により、ホールド値２０３から蓄積時間設定値指令２５２が演算され、同期調整バッファ２６に設定されるようにしたものであり、その他の構成には変更が無い。
【００４８】
従って、この図１の実施形態も、この自動位相差検出部２００によるホールド値２０３の生成動作と、蓄積時間演算設定部３００による蓄積時間設定値指令２５２の生成動作以外は、図５で説明した従来技術と同じであり、そこで、以下、この自動位相差検出部２００と蓄積時間演算設定部３００の動作に重点をおいて説明する。
【００４９】
まず、自動位相差検出部２００は、ブランキング情報付加部２０から出力されるパラレル映像データ１０９と、Ｓ／Ｐ変換部２７から出力されるパラレル映像データ１１９を入力し、これらデータ間の位相差を検出し、それに応じて自動的に蓄積時間設定値指令２０３を算出して蓄積時間演算設定部３００に供給する働きをするものである。
【００５０】
このため、自動位相差検出部２００は、図２に示すように、パラレル映像データ１０９を入力とするＦ_Ｓync検出部７００とクロック同期部７０１、パラレル映像データ１１９を入力とするＦ_Ｓync検出部７０２とカウンタ部７０３、それにホールド部７０４を備えている。ここで、Ｆ_Ｓyncとはフレーム同期信号の意である。
【００５１】
そして、まず、Ｆ_Ｓync検出部７００は、パラレル映像データ１０９を入力し、これからＦ_Ｓync信号６００を検出する。ここで、このパラレル映像信号１０９は、映像データとフレーム(３３ｍｓ)及びフィールド(１６．６ｍｓ)などを示すヘッダ情報より構成されている。そこで、このヘッダ情報のＳＡＶ(Start Active Video)を検出し、Ｆ_Ｓync信号６００を生成して出力する。このとき、パラレル映像データ１０９はＨＤＴＶ規格になっているので、その基準となる周波数は７４ＭHzになっている。
【００５２】
また、Ｆ_Ｓync検出部７０２は、パラレル映像データ１１９を入力し、同様に、そのヘッダ情報のＳＡＶを検出し、これから図３(b)に示すように、Ｆ_Ｓync信号６０３を抽出して出力し、これと共に、パラレル映像データ１１９からクロック６０４を検出する。このとき、パラレル映像データ１１９はＳＤＴＶ規格になっているので、その基準となる周波数は２７ＭHzであり、従って、ＨＤＴＶ規格のパラレル映像データ１０９とは基準周波数が異なる。
【００５３】
そこで、クロック同期部７０１は、周波数２７ＭHzのクロック６０４を基準にしてサンプリングを行い、図３(a)に示すように、周波数７４ＭHzのＦ_Ｓync信号６００の中からクロック６０４の直後に現れる信号を抽出し、これを同期Ｆ_Ｓync信号６０１として出力する。
【００５４】
次に、カウンタ部７０３は、Ｆ_Ｓync信号６０３をトリガとし、それが発生する都度、クロック６０４のカウントを開始し、図３(c)に示すように、カウント値６０５をインクリメントする。そしてホールド部７０４は、カウンタ部７０３のカウント値６０５を入力し、これを同期Ｆ_Ｓync信号６０１によりホールドし、図３(d)に示すように、ホールド値２０３として出力する。
【００５５】
そこで、蓄積時間演算設定部３００は、図３(e)に示すように、入力されたホールド値２０３から逐次、Ｆ_Ｓync信号６０３とＦ_Ｓync信号６０１の位相差を演算し、演算結果を蓄積時間情報３０１として同期調整バッファ２６に出力し、そこに設定された結果、リターン映像信号１１７に遅延が与えられ、この後、蓄積時間情報３０１により決められている時間が経過した時点からリターン映像信号１１８が出力されるようにする。
【００５６】
次に、このときの位相差の演算について説明する。ここでいま、例えばホールド値２０３が“２０００００”であったとする。これは、Ｆ_Ｓync信号６０３とＦ_Ｓync信号６０１のカウント差が“２０００００”であることを意味する。一方、このときＦ_Ｓync信号６０３の基準周波数は２７ＭHzである。そうすると、このことから、次の式(3)により、位相差に準じた時間が計算できることになる。
【００５７】
位相差に準じた時間Ｔ(s)＝ホールド値／基準周波数 …… …… (3)
＝２０００００／２７００００００
＝０．００７４(s)
つまり、この場合、Ｆ_Ｓync信号６０３とＦ_Ｓync信号６０１の差、すなわち、位相差は、時間で表わすと７．４ｍｓになる。
【００５８】
この場合、蓄積時間演算設定部３００は、７．４ｍｓの遅延時間を演算し、蓄積時間情報３０１として、この遅延時間７．４ｍｓを出力する。そこで、同期調整バッファ２６の蓄積時間は７．４ｍｓに設定されるので、パラレル映像信号１０９とパラレル映像信号１１９の位相が一致され、この結果、リターン映像に同期した本線映像が得られることになる。
【００５９】
従って、この実施形態によれば、同期調整バッファ２６に対する蓄積時間の設定が、リターン映像信号１１５と本線映像信号１１０の位相差に応じて自動的に与えられるので、カメラシステムの互換性について何の配慮を要すること無く、自由な機種変更による効率的なカメラ運用に容易に対応することができる。
【図面の簡単な説明】
【００６０】
【図１】本発明による同期自動調整装置の一実施形態を示すブロック構成図である。
【図２】本発明の一実施形態における自動位相差検出部のブロック構成図である。
【図３】本発明の一実施形態における自動位相差検出部の動作を説明するためのタイミング図である。
【図４】ワイヤレスカメラシステムの使用態様の一例を示す説明図である。
【図５】従来技術によるワイヤレスカメラシステムの一例を示すブロック構成図である。
【図６】本線映像信号とリターン映像信号の同期状況を説明するためのタイミング図である。
【符号の説明】
【００６１】
１：カメラ
２：ＣＣＵ
３：切替器
４：スタジオ復調製室
５：スピーカ
６：基準映像信号発生器
７：マイク
８：スピーカ
９：カメラヘッド
１０：Ｓ／Ｐ変換部
１１：アクティブ映像抽出部
１２：圧縮部
１３：多重部
１４：マイク
１５：Ｓ／Ｐ変換部
１６：変調部
１７：復調部
１８：分離部
１９：伸張部
２０：ブランキング情報付加部
２１：Ｐ／Ｓ変換部
２２：Ｐ／Ｓ変換部
２３：ダウンコンバータ
２４：同基部
２５：蓄積時間設定部
２６：同期調整バッファ
２７：Ｓ／Ｐ変換部
２８：アクティブ映像抽出部
２９：圧縮部
３０：Ｓ／Ｐ変換部
３１：多重部
３２：変調部
３３：復調部
３４：分離部
３５：伸張部
３６：ブランキング情報付加部
３７：Ｐ／Ｓ変換部
３８：ＶＦ(ビデオファインダ）
３９：Ｐ／Ｓ変換部
４０：アンテナ
４１：アンテナ
４２：アンテナ
４３：アンテナ
２００：自動位相差検出部
３００：蓄積時間演算設定部
７００：Ｆ_Ｓync検出部
７０１：クロック同期部
７０２：Ｆ_Ｓync検出部
７０３：カウンタ部
７０４：ホールド部
【図１】
0004738251.tif 000002
【図２】
0004738251.tif 000003
【図３】
0004738251.tif 000004
【図４】
0004738251.tif 000005
【図５】
0004738251.tif 000006
【図６】
0004738251.tif 000007